(57)【要約】【課題】患者が処方せんの画像を撮像する際に、繰り返しアプリケーションがフリーズすることを防止すること。【解決手段】携帯端末１０が、コード情報１３ａを含む処方せん１３を第１の解像度または第１の解像度よりも低い第２の解像度で撮像する撮像部１０５と、撮像部１０５が第１の解像度で処方せん１３の撮像を完了した場合に処方せん１３の撮像画像からコード情報１３ａの読み込みを行い、撮像部１０５が第１の解像度で処方せん１３の撮像を完了できなかった場合に、撮像部１０５が撮像する際の解像度を第１の解像度から第２の解像度に切り替える制御を行う制御部１０６と、を有する。【選択図】図２
2019020759.tif 000002
【特許請求の範囲】
【請求項１】
コード情報を含む処方せんを第１の解像度または前記第１の解像度よりも低い第２の解像度で撮像する撮像部と、
前記撮像部が前記第１の解像度で前記処方せんの撮像を完了した場合に前記処方せんの撮像画像から前記コード情報の読み込みを行い、前記撮像部が前記第１の解像度で前記処方せんの撮像を完了できなかった場合に、前記撮像部が撮像する際の解像度を前記第１の解像度から前記第２の解像度に切り替える制御を行う制御部と、
を有することを特徴とする携帯端末。
【請求項２】
前記制御部は、前記第２の解像度で前記処方せんが撮像された場合に前記第２の解像度で撮像された前記処方せんの画像からの前記コード情報の読み込みを行わないことを特徴とする請求項１に記載の携帯端末。
【請求項３】
前記第１の解像度での前記処方せんの撮像が完了した場合に、前記処方せんの画像情報と前記コード情報を変換した文字情報とを含む情報を送信し、前記第２の解像度での前記処方せんの撮像が完了した場合に、前記処方せんの画像情報を含み、前記文字情報を含まない情報を送信する通信部と、
をさらに備えることを特徴とする請求項２に記載の携帯端末。
【請求項４】
前記処方せんには、前記コード情報が付されたページが複数あり、
前記制御部は、前記処方せんの各ページに付されたコード情報の読み込みが成功した場合に、各ページに付されたコード情報を変換した文字情報を送信し、読み込みが失敗したコード情報があり、かつ、該読み込みが失敗したコード情報が付されたページ以外の前記処方せんに属する他のページにおいて読み込みが成功したコード情報がある場合に、該読み込みが成功したコード情報を変換した文字情報の送信を行わないよう前記通信部を制御する請求項３に記載の携帯端末。
【請求項５】
コード情報を含む処方せんを第１の解像度で撮像する第１の撮像ステップと、
前記第１の撮像ステップにおいて前記第１の解像度で前記処方せんの撮像を完了した場合に前記処方せんの撮像画像から前記コード情報の読み込みを行う読込ステップと、
前記第１の撮像ステップにおいて前記第１の解像度で前記処方せんの撮像を完了できなかった場合に、解像度を前記第１の解像度から第２の解像度に切り替えて前記処方せんの撮像を行う第２の撮像ステップと、
を含む撮像方法。
【請求項６】
コンピュータに、
コード情報を含む処方せんを第１の解像度で撮像する第１の撮像手順と、
前記第１の撮像手順において前記第１の解像度で前記処方せんの撮像を完了した場合に前記処方せんの撮像画像から前記コード情報の読み込みを行う読込手順と、
前記第１の撮像手順において前記第１の解像度で前記処方せんの撮像を完了できなかった場合に、解像度を前記第１の解像度から第２の解像度に切り替えて前記処方せんの撮像を行う第２の撮像手順と、
を実行させる撮像プログラム。
【発明の詳細な説明】
【技術分野】
【０００１】
本発明は、医療機関にて処方された処方せんの情報が埋め込まれた２次元コードを撮像するコード情報撮像装置、コード情報撮像方法、および、コード情報撮像プログラムに関する。
【背景技術】
【０００２】
従来、患者が携帯電話やスマートフォンのカメラ機能を用いて医療機関で発行された処方せんを撮像し、撮像画像を薬局に送ることによって事前に処方せんの内容を薬局に伝達する技術が知られている。
【０００３】
例えば、特許文献１には、スマートフォンが、患者によって撮像された処方せんの画像の画像認識を行い、テキスト部分を抽出して処方せん情報として薬局に送る技術が記載されている。
【０００４】
これにより、患者が薬局を訪れる前に、薬剤師が患者に処方する薬剤の準備を行うことができ、患者の待ち時間の軽減を図ることができる。
【先行技術文献】
【特許文献】
【０００５】
【特許文献１】特開２０１６−９１１７６号公報
【発明の概要】
【発明が解決しようとする課題】
【０００６】
一般に、撮像された処方せんの画像から文字情報を抽出するには、その画像が高解像度の画像であることが望ましい。また、近年、医療機関で発行される処方せんに２次元コードが付されている場合があり、処方せん画像から２次元コードの抽出を行う場合も、その処方せん画像は高解像度の画像であることが望ましい。
【０００７】
しかしながら、患者が使用するスマートフォンなどの携帯端末の仕様は様々であり、ＣＰＵなどの処理能力不足やメモリ不足などにより、画像処理中にアプリケーションがフリーズすることがある。このような場合、再度、同じように処方せんの画像を撮像し画像処理を実行しても、再び、アプリケーションがフリーズする可能性がある。
【０００８】
本発明は、このような課題を解決するためになされたものであり、患者が処方せんの画像を撮像する際に、繰り返しアプリケーションがフリーズすることを防止する携帯端末、撮像方法、および、撮像プログラムを提供することを目的とする。
【課題を解決するための手段】
【０００９】
上記目的を達成するために、本発明の携帯端末は、コード情報を含む処方せんを第１の解像度または第１の解像度よりも低い第２の解像度で撮像する撮像部と、撮像部が第１の解像度で処方せんの撮像を完了した場合に処方せんの撮像画像からコード情報の読み込みを行い、撮像部が第１の解像度で処方せんの撮像を完了できなかった場合に、撮像部が撮像する際の解像度を第１の解像度から第２の解像度に切り替える制御を行う制御部と、を有する。
【００１０】
また、本発明の撮像方法は、コード情報を含む処方せんを第１の解像度で撮像する第１の撮像ステップと、第１の撮像ステップにおいて第１の解像度で処方せんの撮像を完了した場合に処方せんの撮像画像からコード情報の読み込みを行う読込ステップと、第１の撮像ステップにおいて第１の解像度で処方せんの撮像を完了できなかった場合に、解像度を第１の解像度から第２の解像度に切り替えて処方せんの撮像を行う第２の撮像ステップと、を含む。
【００１１】
また、本発明の撮像プログラムは、コンピュータに、コード情報を含む処方せんを第１の解像度で撮像する第１の撮像手順と、第１の撮像手順において第１の解像度で処方せんの撮像を完了した場合に処方せんの撮像画像からコード情報の読み込みを行う読込手順と、第１の撮像手順において第１の解像度で処方せんの撮像を完了できなかった場合に、解像度を第１の解像度から第２の解像度に切り替えて処方せんの撮像を行う第２の撮像手順と、を実行させる。
【発明の効果】
【００１２】
本発明の携帯端末によれば、患者が処方せんの画像を撮像する際に、繰り返しアプリケーションがフリーズすることを防止することができる。
【図面の簡単な説明】
【００１３】
【図１】本発明の実施の形態に係る処方せん表示システムの構成の一例を示す図
【図２】本発明の実施の形態に係る処方せん表示システムに含まれる携帯端末の構成の一例を示す図
【図３】携帯端末に記憶される薬局リストの一例を示す図
【図４】本発明の実施の形態に係る処方せん表示システムに含まれるサーバ装置の構成の一例を示す図
【図５】サーバ装置に記憶される薬局設定情報の一例を示す図
【図６】本発明の実施の形態に係る処方せん表示システムに含まれる端末装置の構成の一例を示す図
【図７】本発明の実施の形態に係る処方せん表示システムにおいて実行される処理の一例を示す図
【図８】撮像される処方せんの画像を表示する携帯端末の表示部の一例を示す図
【図９】処方せん撮像処理の一例を示す図
【図１０】処方せんに付された２次元コード情報がグループ化されるイメージを示す図
【図１１】端末装置に表示される送信情報画面の一例を示す図
【図１２Ａ】送信情報画面の処方せん表示領域に表示される処方せん画像の一例を示す図
【図１２Ｂ】送信情報画面に表示される処方せん選択ボタン表示領域と２次元コード表示領域一例を示す図
【図１３Ａ】送信情報画面の処方せん表示領域に表示される処方せん画像の他の例を示す図
【図１３Ｂ】送信情報画面に表示される処方せん選択ボタン表示領域と２次元コード表示領域の他の例を示す図
【図１４Ａ】送信情報画面の処方せん表示領域に表示される処方せん画像のさらに他の例を示す図
【図１４Ｂ】送信情報画面に表示される処方せん選択ボタン表示領域と２次元コード表示領域のさらに他の例を示す図
【図１５】端末装置に表示される依頼リスト画面の一例を示す図
【発明を実施するための形態】
【００１４】
以下、本発明の実施形態について、図面を参照して詳細に説明する。図１は、本発明の実施の形態に係る処方せん表示システムの構成の一例を示す図である。
【００１５】
本発明に係る処方せん表示システム１は、携帯端末１０と、サーバ装置１１と、端末装置１２とを備える。携帯端末１０とサーバ装置１１、および、サーバ装置１１と端末装置１２はそれぞれデータ通信を行う。
【００１６】
図２は、本発明の実施の形態に係る処方せん表示システムに含まれる携帯端末１０の構成の一例を示す図である。携帯端末１０は、医療機関にて発行された処方せんの画像を撮像してサーバ装置１１に送信する装置である。携帯端末１０は、例えば、患者が所有する携帯電話、スマートフォン、タブレットなどの装置である。
【００１７】
携帯端末１０は、入力部１０１と、通信部１０２と、表示部１０３と、記憶部１０４と、撮像部１０５と、制御部１０６と、を含む。
【００１８】
入力部１０１は、携帯端末１０への操作を受け付ける入力装置である。入力部１０１は、例えば、タッチパネルにより構成される。また、入力部１０１は、押しボタンや回転型のセレクタを含んでいてもよい。
【００１９】
入力部１０１は、例えば、専用アプリケーションの起動操作、処方せんの撮像操作、薬局の選択操作、情報の送信操作などを受け付ける。
【００２０】
通信部１０２は、サーバ装置１１との通信を行う通信装置である。通信部１０２は、アンテナ、送信回路、受信回路などを含む。通信部１０２は、所定のネットワークを介してサーバ装置１１と通信する。
【００２１】
表示部１０３は、種々の情報を表示する表示装置である。表示部１０３は、例えば、液晶ディスプレイなどの表示装置である。また、表示部１０３がタッチパネルで構成される場合、表示部１０３は、入力部１０１の機能を兼ね備える。
【００２２】
記憶部１０４は、所定の情報を記憶する記憶装置である。記憶部１０４は、例えば、ハードディスク装置、メモリなどの記憶装置である。
【００２３】
記憶部１０４に記憶される情報には、患者識別情報１０４ａ、専用アプリケーション１０４ｂ、薬局リスト１０４ｃが含まれる。
【００２４】
患者識別情報１０４ａは、患者を識別可能なコード情報であり、例えば、１０桁の数字で構成される。
【００２５】
専用アプリケーション１０４ｂは、携帯端末１０にインストールされるアプリケーションプログラムである。処方せんの撮像、撮像画像に含まれる２次元コード情報の認識、２次元コード情報の文字情報への変換、撮像画像や文字情報の送信といった処理は専用アプリケーション１０４ｂによって実現される。なお、これらの一部の処理は携帯端末１０にインストールされている汎用のアプリケーションを利用して行ってもよい。
【００２６】
薬局リスト１０４ｃは、患者が選択可能な薬局のリスト情報である。薬局リスト１０４ｃは、それぞれの薬局に割り振られた薬局識別情報を含む（図３参照。）。患者が撮像した処方せんの画像などの情報は、選択された薬局に対応する薬局識別情報とともにサーバ装置１１に送られる。
【００２７】
撮像部１０５は、医療機関で発行された処方せんなどを撮像する撮像装置である。撮像部１０５は、例えば、ＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラなどの撮像装置である。
【００２８】
制御部１０６は、携帯端末１０の制御を行うプロセッサなどの制御装置である。制御部１０６は、記憶部１０４に記憶された専用アプリケーション１０４ｂに基づいて各部の制御を行う。
【００２９】
制御部１０６は、撮像部１０５で撮像する画像の撮像モードを設定する。撮像モードとは、撮像部１０６が撮像する画像の解像度を設定するものである。例えば、制御部１０６は、解像度の高い画像を撮像する高解像度モードと、解像度の低い画像を撮像する低解像度モードを切り替える。なお、撮像モードは、低解像度モードと高解像度モードの２段階だけではなく、さらに多くの撮像モードを設けてもよい。
【００３０】
制御部１０６は、低解像度モードで処方せんを撮像した場合、処方せんに付された２次元コード情報の読込処理は行わない。一方、制御部１０６は、高解像度モードで処方せんを撮像した場合、処方せんに付された２次元コード情報の読み込み処理を行う。
【００３１】
処方せんの画像の２次元コード情報が読み込まれた場合、制御部１０６は、読み込まれた２次元コード情報を文字情報に変換する。制御部１０６は、撮像した処方せんの画像情報、２次元コード情報から変換した文字情報、患者情報、および、選択された薬局の薬局識別情報などの情報を通信部１０２からサーバ装置１１に出力する。
【００３２】
処方せんの画像の２次元コード情報が読み込まれなかった場合、制御部１０６は、撮像した処方せんの画像情報、患者情報、および、選択された薬局の薬局識別情報などの情報を通信部１０２からサーバ装置１１に送信する。ただし、この場合、処方せんの画像の２次元コード情報が読み込まれた場合に送信されるような文字情報は送信されない。
【００３３】
ここで、処方せんの画像の２次元コード情報が読み込まれなかった場合とは、処方せんに２次元コード情報が付されていない場合、または、処方せんに２次元コード情報が付されているものの、処方せんの画像から２次元コード情報を認識し得なかった場合である。
【００３４】
次に、サーバ装置１１について説明する。図４は、本発明の実施の形態に係る処方せん表示システム１に含まれるサーバ装置１１の構成の一例を示す図である。
【００３５】
サーバ装置１１は、通信部１１１と、記憶部１１２と、制御部１１３と、を含む。通信部１１１は、送信回路、受信回路などを含む。通信部１１１は、所定のネットワークを介して携帯端末１０および端末装置１２と通信する。
【００３６】
記憶部１１２は、所定の情報を記憶する記憶装置である。記憶部１１２は、例えば、ハードディスク装置、メモリなどの記憶装置である。
【００３７】
記憶部１１２は、薬局設定情報１１２ａを記憶する。図５は、薬局設定情報１１２ａとして記憶部１１２が記憶する情報を示す。記憶部１１２は、薬局設定情報１１２ａとして、端末装置１２を識別する薬局識別情報ごとに、認証パスワードを記憶している。
【００３８】
認証パスワードは、端末装置１２から接続要求があった際に、端末装置１２を認証するためのパスワードである。
【００３９】
制御部１１３は、サーバ装置１１の制御を行うプロセッサなどの制御装置である。制御部１１３は、通信部１１１の制御、携帯端末１０から受信した文字情報のコード化などの処理を実行する。
【００４０】
また、制御部１１３は、端末装置１２の認証を行う。端末装置１２が処方せん表示システム１に接続される際、サーバ装置１１は、端末装置１２からログイン要求とともに認証パスワードを受信する。
【００４１】
制御部１１３は、端末装置１２から受信した認証パスワードと記憶部１１２に記憶した認証パスワードとの照合を行い、両者が一致していた場合、サーバ装置１１に対する端末装置１２の接続を許可する。一方、端末装置１２から受信した認証パスワードと記憶部１１２に記憶した認証パスワードが一致しない場合、サーバ装置１１に対する端末装置１２からの接続を許可しない。
【００４２】
なお、サーバ装置１１における端末装置１２の認証方法はこのような方法に限らない。例えば、指紋認証などの生体認証技術を利用してもよい。
【００４３】
また、制御部１１３は、携帯端末１０から受信した文字情報を２次元コード情報（画像情報）に変換する。このとき、制御部１１３は、携帯端末１０から受信した文字情報が処方せんに付された２次元コード情報から変換されたものであるか否かの判定を行う。具体的には、制御部１１３は、処方せんに付された２次元コード情報に含まれるべき文字情報として予め登録された文字情報と、携帯端末１０から受信した文字情報とを比較して、上記判定を行う。
【００４４】
なお、制御部１１３は、携帯端末１０から受信した文字情報から、擬似処方せん情報を作成し、端末装置１２に送信してもよい。擬似処方せんとは、処方せんに付された２次元コード情報から変換した文字情報に基づいて作成した擬似的な処方せんである。
【００４５】
例えば、携帯端末１０で撮像された処方せんの画像には、処方せんが撮像される環境や携帯端末１０自体の性能などにより、白とびや黒つぶれなどの画像の乱れが発生する場合がある。
【００４６】
このように撮像された画像の文字が薬局の担当者にとって読み取りにくい場合、調剤準備に支障が出る可能性がある。そこで、端末装置１２の画面にサーバ装置１１から送られてきた擬似処方せんを表示させることにより、画像の乱れの影響を受けずに、処方せんの内容を文字として認識させることができる。
【００４７】
制御部１１３は、携帯端末１０から受信した文字情報が処方せんに付された２次元コード情報ではないと判定した場合、通信部１１１を介して携帯端末１０にその旨を表示させる制御情報を送信してもよい。
【００４８】
通信部１１１が、携帯端末１０から処方せんの画像情報、処方せんの内容を示す文字情報、患者情報、および、薬局識別情報を含む情報を受信し、制御部１１３が、受信した文字情報が処方せんに付された２次元コード情報であると判定すると、制御部１１３は、それらの情報を記憶部１１２に記憶させる。
【００４９】
また、制御部１１３は、端末装置１２から表示更新情報を受信した場合、表示更新情報を送信した端末装置１２を特定し、特定した端末装置１２に処方せんなどの情報を送信する。ここで、表示更新情報とは、端末装置１２の画面に表示させる情報の更新要求である。
【００５０】
次に、端末装置１２について説明する。図６は、本発明の実施の形態に係る処方せん表示システム１に含まれる端末装置１２の構成の一例を示す図である。端末装置１２は、入力部１２１と、通信部１２２と、表示部１２３と、記憶部１２４と、制御部１２５とを有する。
【００５１】
入力部１２１は、携帯端末１０への操作を受け付ける入力装置である。入力部１２１は、例えば、タッチパネル、キーボード、または、マウスなどの入力装置である。入力部１２１は、例えば、サーバ装置１１へのログインを要求する操作や、所定の患者の処方せんを表示するための操作を受け付ける。
【００５２】
通信部１２２は、サーバ装置１１との通信を行う通信装置である。通信部１２２は、送信回路、受信回路などを含む。通信部１２２は、所定のネットワークを介してサーバ装置１１と通信する。
【００５３】
表示部１２３は、種々の情報を表示する表示装置である。表示部１２３は、例えば、液晶ディスプレイなどの表示装置である。また、表示装置がタッチパネルで構成される場合、表示部１２３は、入力部１２１の機能を兼ね備える。
【００５４】
記憶部１２４は、所定の情報を記憶する記憶装置である。記憶部１２４は、例えば、ハードディスク装置、メモリなどの記憶装置である。
【００５５】
記憶部１２４に記憶される情報には、処方せん情報１２４ａが含まれる。処方せん情報１２４ａは、サーバ装置１１から受信した処方せんの情報である。この情報を基にして、後述する各種表示がなされる。
【００５６】
制御部１２５は、端末装置１２の各部の制御を行うプロセッサなどの制御装置である。制御部１２５は、サーバ装置１１から受信した情報に基づいて、処方せんの画像および２次元コード情報の表示制御などを行う。
【００５７】
制御部１２５は、サーバ装置１１から処方せんの画像情報、患者情報などを受信すると、表示部１２３に処方せんの画像、患者氏名などを表示させる。また、制御部１２５は、サーバ装置１１から２次元コード情報を受信したときは、画面に２次元コード情報を表示させる。
【００５８】
次に、本発明の実施の形態に係る処方せん表示システム１が行う処理について、図７を参照して説明する。まず、携帯端末１０の入力部１０１が、患者から専用アプリケーション１０４ｂの起動要求を受け付けると、制御部１０６は、専用アプリケーション１０４ｂを起動する（ステップＳ１１）。
【００５９】
専用アプリケーション１０４ｂが起動された後、患者の入力部１０１を介した撮像操作に応じて、撮像部１０５は、医療機関にて発行された処方せんを撮像する処方せん撮像処理を実行する（ステップＳ１２）。
【００６０】
ここで、まず、処方せんの撮像方法について、図８を参照して説明する。図８は、撮像される処方せん１３の画像を表示する携帯端末１０の表示部１０３の一例を示す図である。処方せん１３には、患者氏名、処方内容などの情報が含まれている。また、処方せん１３には、２次元コード情報１３ａが含まれている場合がある。
【００６１】
患者は、このような処方せん１３の画像を表示部１０３の略全面に表示させる。そして、患者が表示部１０３の最下部中央に配置された撮像ボタン１０６ａ（入力部１０１の一種）をタッチすると、撮像部１０５が処方せん１３の画像を撮像する。処方せんが複数ページからなる場合、患者は、同様の操作により各ページの画像を撮像する。
【００６２】
次に、ステップＳ１２において実行される処方せん撮像処理について説明する。図９は、処方せん撮像処理の一例を示すフローチャートである。
【００６３】
処方せん撮像処理は、前回の撮像が正常に終了した場合、高解像度で処方せん１３を撮像し、前回の撮像が正常に終了しなかった場合、低解像度で処方せん１３を撮像する処理である。
【００６４】
携帯端末１０の制御部１０６は、処方せん１３の撮像処理を開始すると、撮像完了フラグがｏｎ状態であるか否かを判定する（ステップＳ１２１）。撮像完了フラグとは、前回の処方せん１３の撮像処理が正常に終了したか否かを示すフラグである。
【００６５】
前回の処方せん１３の撮像処理が正常に終了している場合は、撮像完了フラグはｏｎ状態であり、前回の処方せん１３の撮像処理が正常に終了していない場合は、撮像完了フラグはｏｆｆ状態である。
【００６６】
撮像完了フラグがｏｎ状態であると判定した場合（ステップＳ１２１においてＹｅｓの場合）、制御部１０６は、撮像完了フラグをｏｆｆ状態にする（ステップＳ１２２）。そして、制御部１０６は、撮像モードを高解像度モードに設定する（ステップＳ１２３）。
【００６７】
撮像完了フラグがｏｆｆ状態であると判定した場合（ステップＳ１２１においてＮｏの場合）、制御部１０６は、撮像モードを低解像度モードに設定する（ステップＳ１２８）。ステップＳ１２８以降の処理については後述する。
【００６８】
ステップＳ１２３において撮像モードを高解像度モードに設定すると、制御部１０６は、処方せん１３の撮像操作が実行されたか否かを判定する（ステップＳ１２４）。撮像ボタン１０６ａがタッチされて、携帯端末１０の表示部１０３に表示された処方せん１３のページが撮像された場合、処方せん１３の撮像操作が実行されたと判定される。
【００６９】
処方せん１３の撮像操作が実行されたと判定されない場合（ステップＳ１２４においてＮｏの場合）、制御部１０６は、撮像操作が実行されたと判定されるまでステップＳ１２４の処理を繰り返す。
【００７０】
処方せん１３の撮像操作が実行されたと判定された場合（ステップＳ１２４においてＹｅｓの場合）、制御部１０６は、処方せん１３の撮像画像から２次元コード情報１３ａの読み込みを行う（ステップＳ１２５）。
【００７１】
処方せん１３に付された２次元コード情報１３ａの読み込みに成功した場合は、制御部１０６は、読み込んだ２次元コード情報１３ａを文字情報に変換するとともに記憶部１０４に記憶させる。
【００７２】
次に、制御部１０６は、撮像した処方せん１３の画像を表示部１０３にプレビュー表示として表示する（ステップＳ１２６）。患者は、表示部１０３に表示されたプレビュー表示を見て、処方せん１３の撮像画像を確認することができる。また、制御部１０６は、プレビュー表示画面には「ＯＫ」ボタンと「撮り直し」ボタンを表示させる。
【００７３】
プレビュー表示された画像が、例えば、不鮮明であった場合や、処方せん１３の一部が表示部１０３の表示から外れてしまった場合など、「撮り直し」ボタンを選択することにより患者は処方せん１３の撮り直しを行うことができる。
【００７４】
処方せん１３の撮り直しがされた場合は、記憶部１０４に記憶された文字情報は破棄され、撮り直された処方せん１３の画像から、再度２次元コード情報１３ａの読み込みを行う。
【００７５】
「ＯＫ」ボタンが選択された場合、制御部１０６は、撮像完了フラグをｏｎ状態にして処方せん撮像処理を終了する（ステップＳ１２７）。なお、患者が撮像すべき処方せん１３のページが複数枚あるときは、全ての処方せん１３のページの撮像が完了するまで処方せん撮像処理が繰り返される。さらに、複数の診療において発行された複数の処方せんがある場合も、全ての処方せん１３の撮像が完了するまで、処方せん撮像処理が繰り返される。
【００７６】
なお、２次元コード情報１３ａの読み込みは、上述したように、処方せん１３の各ページを撮像するたびに行ってもよいし、プレビュー表示画面で「ＯＫ」ボタンが選択された後に、撮像された複数枚の処方せん１３の画像に対してまとめて行ってもよい。
【００７７】
一方、上述したように、ステップＳ１２１において、撮像完了フラグがｏｎ状態ではないと判定された場合（ステップＳ１２１においてＮｏの場合）、制御部１０６は、撮像モードを低解像度モードに設定する（ステップＳ１２８）。
【００７８】
撮像完了フラグがｏｎ状態でないと判定されるのは、例えば、処方せん撮像処理を実行している最中に、専用アプリケーション１０４ｂがフリーズして、撮像完了フラグがｏｎ状態に設定されずに処方せん撮像処理が途中で終了してしまう場合である。
【００７９】
専用アプリケーション１０４ｂがフリーズする理由としては、高解像度モードで処方せん１３を撮像することに対するプロセッサの処理能力不足やメモリの容量不足などが考えられる。
【００８０】
次に、制御部１０６は、解像度変更スイッチが選択されたか否かを判定する（ステップＳ１２９）。解像度変更スイッチは、低解像度モードに設定されている撮像モードを高解像度モードに変更するためのボタンであり、表示部１０３に表示される。
【００８１】
解像度変更スイッチが選択された場合（ステップＳ１２９においてＹｅｓの場合）、制御部１０６は、ステップＳ１２３以降の処理を実行する。解像度変更スイッチが選択されなかった場合（ステップＳ１２９においてＮｏの場合）、制御部１０６は、低解像度モードで撮像操作が実行されたか否かを判定する（ステップＳ１３０）。
【００８２】
撮像操作が実行されていないと判定された場合（ステップＳ１３０においてＮｏの場合）、撮像が実行されたと判定されるまでステップＳ１３０の処理を繰り返す。
【００８３】
撮像操作が実行されたと判定された場合（ステップＳ１３０においてＹｅｓの場合）、ステップＳ１２６以降の処理を実行する。
【００８４】
以上の処理によって、処方せん撮像処理の実行中に専用アプリケーション１０４ｂがフリーズした場合、専用アプリケーション１０４ｂの再起動後、自動的に撮像モードが低解像度モードに設定される。
【００８５】
したがって、患者に手動で撮像モードを切り替えさせる必要がない。また、自動的に撮像モードを低解像度モードに設定するので、再び、専用アプリケーション１０４ｂがフリーズしてしまうことを回避することができる。
【００８６】
また、専用アプリケーション１０４ｂを再起動させた後も、解像度変更スイッチを選択させることにより処方せん１３を高解像度モードで撮像させることができる。これにより、患者は、２次元コード情報１３ａを携帯端末１０に読み込ませることができる。
【００８７】
図７の説明に戻る。ステップＳ１２において処方せん撮像処理が完了すると、制御部１０６は、読み込んだ２次元コード情報１３ａのグループ判定処理を実行する（ステップＳ１３）。
【００８８】
ここで、グループとは、一の診療において発行された処方せん１３に属する２次元コード情報１３ａの集合である。グループ判定とは、処方せん撮像処理において読み込まれた２次元コード情報１３ａがどの処方せん１３に対応するものかを判定することである。
【００８９】
ここで、グループ判定を行う趣旨について説明する。例えば、二人の兄弟が同日に同じ医療機関を受診し、医療機関からそれぞれ複数ページからなる処方せん１３が発行された場合を想定する。処方せん１３の各ページには、一又は複数の２次元コード情報１３ａが付されており、母親の携帯端末１０によって撮像された各ページの画像情報および２次元コード情報が携帯端末１０から送信される。
【００９０】
このとき、各ページが順不同で撮像されたとしても、グループ判定を実行することで、兄の診療において発行された処方せん１３に属する２次元コード情報１３ａと、弟の診療において発行された処方せん１３に属する２次元コード情報１３ａとを区別することができる。これにより、後述するように、端末装置１２の画面上に処方せん１３の画像とそれぞれの処方せん１３に対応する２次元コード情報１３ａとを並べて表示させることが可能となる。
【００９１】
また、一の処方せん１３に付された複数の２次元コード情報１３ａのうち、一部の２次元コード情報１３ａの読み込みに失敗した場合、読み込みに成功した２次元コード情報１３ａをサーバ装置１１に送信することは、適切ではない。なぜなら、端末装置１２の画面に、処方せん１３に関して不完全な情報を送信することによって、薬の処方時に混乱を来す恐れがあるからである。
【００９２】
グループ判定を行うことにより、全ての２次元コード情報１３ａの読み込みに成功したグループに属する２次元コード情報１３ａのみをサーバ装置１１に送信することができる。
【００９３】
このグループ判定処理の詳細および端末装置１２の画面上における具体的な表示態様については、次に詳しく説明する。
【００９４】
２次元コード情報１３ａのグループ判定処理は、２次元コード情報１３ａに埋め込まれたヘッダ情報に基づいて行われる。
【００９５】
ヘッダ情報は、当該２次元コード情報１３ａが付されたページが属する処方せん１３を識別する情報と、同一の処方せん１３に属するページに付された複数の２次元コード情報１３ａのうち当該２次元コード情報１３ａが何番目の情報であるのかを示す情報を含む。
【００９６】
図１０は、処方せん１３に属するページに付された２次元コード情報１３ａがグループ化されるイメージを示す図である。ここでは、ページ１３０１，１３０２が一の診療において発行された処方せんのページであり、ページ１３０３，１３０４，１３０５が別の診療において発行された処方せんのページであるとする。
【００９７】
図１０に示す例は、各ページ１３０１〜１３０５が携帯端末１０によって撮像され、１ページ目１３０１に付された２次元コード情報１３０１ａ，１３０１ｂと２ページ目１３０２に付された２次元コード情報１３０２ａと５ページ目１３０５に付された２次元コード情報１３０５ａが読み込まれ、４ページ目１３０４に付された２次元コード情報１３０４ａ，１３０４ｂの読み込みが失敗した例である。
【００９８】
ここで、１ページ目１３０１、および、２ページ目１３０２は、一の診療において発行された処方せん１３に属するページであり、３ページ目１３０３は、別の診療において発行された処方せん１３に属するページであり、４ページ目１３０４、および、５ページ目１３０５は、さらに別の診療において発行された処方せん１３に属するページである。
【００９９】
携帯端末１０の制御部１０６は、これらの２次元コード情報１３０１ａ，１３０１ｂ，１３０２ａ，１３０５ａに埋め込まれたヘッダ情報を解析し、一の診療において発行された処方せん１３に属する２次元コード情報１３ａがどれかを判定し、これらをグループ化する。
【０１００】
具体的には、制御部１０６は、当該２次元コード情報１３ａが付されたページが属する処方せん１３を識別する情報（同じ処方せん１３に属している場合に同じ値となる識別情報）、および、同一の処方せん１３に属するページに付された複数の２次元コード情報１３ａのうち当該２次元コード情報１３ａが何番目の情報であるのか（当該２次元コード情報１３ａの属するグループが、何個の２次元コード情報１３ａで構成されており、当該２次元コード情報１３ａが何番目の２次元コード情報１３ａであるのか）を示す情報を用いてグループ判定処理を行う。
【０１０１】
図１０には、１ページ目１３０１に付された２次元コード情報１３０１ａ，１３０１ｂ、および、２ページ目１３０２に付された２次元コード情報１３０２ａが一の診療において発行された処方せん１３に属するものと判定され、これらが１つのグループとしてグループ化される状態が示されている。
【０１０２】
また、図１０には、２次元コード情報１３０５ａの読み込みが成功し、２次元コード情報１３０５ａに含まれるヘッダ情報が取得されたものの、２次元コード情報１３０４ａ，１３０４ｂは読み込みが失敗し、２次元コード情報１３０４ａ，１３０４ｂに含まれるヘッダ情報が取得されない状態が示されている。なお、本例において、３ページ目１３０３に、２次元コード情報１３ａは付されていない。
【０１０３】
このような場合、制御部１０６は、２次元コード情報１３０５ａに含まれるヘッダ情報から、同一の処方せん１３に属するページに付された２次元コード情報が他にもあるか否かを検出し、そのような２次元コード情報１３０４ａ，１３０４ｂがある場合、２次元コード情報１３０５ａのグループ化を行わない。グループ化が行われなかった２次元コード情報１３０５ａの文字情報は、記憶部１０４から消去される。
【０１０４】
なお、処方せん１３の３ページ目１３０３については、２次元コード情報が付されていないため、グループ化処理は実行されない。
【０１０５】
これにより、一の診療において発行された処方せんの各ページ１３０１，１３０２に付された２次元コード情報１３０１ａ，１３０１ｂ，１３０２ａをグループ化することが可能となる。
【０１０６】
グループ判定処理（ステップＳ１３）が終了すると、通信部１０２は、処方せん情報および薬局識別情報をサーバ装置１１に送信する（ステップＳ１４）。
【０１０７】
処方せん情報には、患者情報、撮像部１０５で撮像された処方せん画像が含まれる。また、処方せん１３が高解像度モードで撮像されて２次元コード情報の読み込みに成功した場合、処方せん情報には、２次元コード情報１３ａから変換された処方せんの内容を示す文字情報が含まれる。
【０１０８】
一方、撮像された処方せん１３に２次元コード情報１３ａが付されていない場合、処方せん１３が高解像度モードで撮像されて２次元コード情報の読み込みに失敗した場合、および、処方せん１３が、低解像度モードで撮像された場合は、処方せん情報には２次元コード情報１３ａから変換された処方せんの内容を示す文字情報は含まれない。
【０１０９】
また、処方せん１３に２次元コード情報１３ａが付されたページが複数あり、処方せん１３の各ページに付された２次元コード情報１３ａの読み込みが成功した場合、制御部１０６は、各ページに付された２次元コード情報１３ａ（図１０の例では、ページ１３０１，１３０２に付された２次元コード情報１３０１ａ，１３０１ｂ，１３０２ａ）を変換した上記文字情報を通信部１０２に送信させる。
【０１１０】
一方、処方せん１３に２次元コード情報１３ａが付されたページが複数あり、それらのページにおいて読み込みが失敗した２次元コード情報１３ａがあり、かつ、該読み込みが失敗した２次元コード情報１３ａが付されたページ（図１０の例では、ページ１３０４）以外の処方せん１３に属する他のページにおいて読み込みが成功した２次元コード情報１３ａ（図１０の例では、ページ１３０５において読み込みが成功した２次元コード情報１３０５ａ）がある場合に、読み込みが成功したコード情報１３ａを変換した文字情報の送信を行わないよう通信部１０２を制御する。
【０１１１】
後述するように、端末装置１２は、処方せん１３に２次元コード情報１３ａが付されたページが複数ある場合、処方せん１３に対応する複数の２次元コード情報１３ａを同時に表示するが、複数の２次元コード情報１３ａの一部の読み込みが失敗した場合、それができなくなる。
【０１１２】
この場合、読み込みが成功した２次元コード情報１３ａの読み込み結果の情報を送信することは無駄になるため、そのような情報の送信を行わない制御がなされる。
【０１１３】
このようにして、制御部１０６が、処方せん情報および薬局識別情報をサーバ装置１１に送信すると、携帯端末１０での処理は終了する。
【０１１４】
次に、サーバ装置１１において行われる処理について説明する。端末装置１２から認証要求を受けると、サーバ装置１１の制御部１１３は、端末装置１２の認証を行う（ステップＳ１５）。端末装置１２の認証が行われると、制御部１１３は、端末装置１２に認証結果を送信する（ステップＳ１６）。
【０１１５】
制御部１１３は、端末装置１２の認証に成功した場合は、その旨の情報を端末装置１２に送信するとともに、サーバ装置１１への接続を許可する。一方、端末装置１２の認証に失敗した場合、制御部１１３は、その旨の情報を端末装置１２に送信し、サーバ装置１１への接続を許可しない。
【０１１６】
携帯端末１０から処方せん１３の情報を受信すると、制御部１１３は、受信した処方せん１３の情報を記憶部１１２に記憶させる（ステップＳ１７）。
【０１１７】
また、制御部１１３は、端末装置１２から表示更新情報を受信した場合、表示更新情報を送信した端末装置１２を特定する（ステップＳ１８）。
【０１１８】
そして、制御部１１３は、薬局識別情報に基づいて特定した端末装置１２に対して、処方せん情報を送信し（ステップＳ１９）、サーバ装置１１での端末装置１２への表示用情報の送信処理は終了する。
【０１１９】
次に、端末装置１２において行われる処理について説明する。端末装置１２の通信部１２２は、サーバ装置１１に対して認証要求を送信する（ステップＳ２０）。サーバ装置１１おいて、端末装置１２の認証がされると、通信部１２２は、認証結果を受信する（ステップＳ２１）。
【０１２０】
端末装置１２の認証が成功した場合、端末装置１２は、サーバ装置１１への接続が許可されるが、端末装置１２の認証が失敗した場合は、サーバ装置１１への接続は許可されない。
【０１２１】
次に、制御部１２５は、サーバ装置１１に対して表示更新情報を送信する（ステップＳ２２）。制御部１２５が表示更新情報をサーバ装置１１に対して送信するタイミングは、適宜決定すればよい。例えば、表示更新情報は、所定の時間間隔で送信するように設定することができる。さらに、入力部１２１に入力操作を受け付けた場合にも表示更新情報を送信できるようにしてもよい。
【０１２２】
端末装置１２の制御部１２５は、通信部１２２がサーバ装置１１から処方せん１３の情報を受信した後（ステップＳ２３）、送信情報画面に表示させる処方せん１３のページ指定操作を受け付ける（ステップＳ２４）。
【０１２３】
ここで、送信情報画面について説明する。図１１は、端末装置１２の画面に表示される送信情報画面１５の一例を示す図である。送信情報画面１５には、ページ選択ボタン表示領域１５１と、２次元コード情報表示領域１５２と、処方せん表示領域１５３とが含まれる。ページ選択ボタン表示領域１５１は、送信情報画面１５の上部に配置される。
【０１２４】
ページ選択ボタン表示領域１５１には、例えば、複数のページ選択ボタン１５１ａ，１５１ｂ，１５１ｃが表示される。
【０１２５】
ページ選択ボタン１５１ａ，１５１ｂ，１５１ｃは、携帯端末１０から一度に複数ページの処方せん１３の画像が送られてきた場合に、処方せん表示領域１５３に表示させる処方せん１３のページを選択させるためのボタンである。図１１には、携帯端末１０から３ページ分の処方せん１３の画像が送られてきた場合の送信情報画面１５の例が示されている。
【０１２６】
ここで、処方せん１３のページに２次元コード情報１３ａが付されている場合、ページ選択ボタン１５１ａ，１５１ｂ，１５１ｃの右下には、２次元コード情報１３ａを模した絵柄が重畳表示される。
【０１２７】
図１１に示す例では、ページ選択ボタン１５１ｂ，１５１ｃの右下に２次元コード情報１３ａを模した絵柄が重畳表示されている。これにより薬局の薬剤師（薬局によっては事務員の場合もある。）に２ページ目と３ページ目の処方せん１３に２次元コード情報１３ａが付されていることを認識させることができる。
【０１２８】
また、現在選択されているページを明示的に示すため、現在選択されているページ選択ボタン１５１ａ，１５１ｂ，１５１ｃは強調表示される。図１１に示す例では、ページ選択ボタン１５１ｂが強調表示されている。
【０１２９】
ページ選択ボタン表示領域１５１の下側には、２次元コード情報表示領域１５２が配置される。２次元コード情報表示領域１５２には、携帯端末１０で読み込まれた２次元コード情報１３ａが表示される。これにより、薬局の薬剤師は、レセプトコンピュータの読み取り装置に２次元コード情報１３ａを読み取らせることができる。
【０１３０】
処方せん表示領域１５３は、ページ選択ボタン１５１ａ，１５１ｂ，１５１ｃで選択されたページの画像が表示される領域である。処方せん表示領域１５３は、２次元コード情報表示領域１５２の下側に配置される。処方せん表示領域１５３に処方せん１３の画像全体が表示されない場合は、処方せん１３の画像をスクロール表示させることにより処方せん１３の画像が表示される。
【０１３１】
このようにすることで、処方せん１３の各ページのうち一のページが選択された場合に、選択されたページと、選択されたページが含まれる一の処方せん１３に対応する複数の２次元コード情報１３ａとを同時に表示することができる。
【０１３２】
図７の説明に戻る。端末装置１２の制御部１２５は、ステップＳ２４においてページ選択を受け付けると、送信情報画面１５の２次元コード情報表示領域１５２に表示させる２次元コード情報１３ａのグループ判定を行う（ステップＳ２５）。
【０１３３】
携帯端末１０から一度に複数ページの処方せん１３の情報が送信される場合、２次元コード情報表示領域１５２には、２次元コード情報１３ａがグループごとに表示される。
【０１３４】
ここで、グループ判定とは、ページ選択を受け付けたときに、当該ページに付された２次元コード情報１３ａが属するグループを判定して、２次元コード表示領域１５２に表示させるグループを決定することをいう。
【０１３５】
このグループ判定処理は図１０を用いて説明したグループ作成処理と同様の処理である。
【０１３６】
すなわち、本発明の実施の形態では、サーバ装置１１に送信する処方せん情報を決定するために、携帯端末１０は、グループ判定処理において、２次元コード情報１３ａのグループ化を行う。また、端末装置１２の画面に表示させる２次元コード情報１３ａのグループを決定するために、端末装置１２は、グループ判定処理において２次元コード情報１３ａのグループ化を行っている。
【０１３７】
ステップＳ２５においてグループ判定が行われると、制御部１２５は、ページ選択ボタン１５１ａ，１５１ｂ，１５１ｃにより選択されたページが属する処方せん１３に対応するグループに含まれる２次元コード情報１３ａを２次元コード表示領域１５２に表示させるとともに、ページ選択ボタンにより選択された処方せん１３の画像を処方せん表示領域１５３に表示させる（ステップＳ２６）。この表示処理については、後に詳しく説明する。そして、端末装置１２での処理は終了する。
【０１３８】
これにより、一の診療において発行された処方せんの各ページ１３０１，１３０２に付された２次元コード情報１３０１ａ，１３０１ｂ，１３０２ａをグループ化することが可能となる。
【０１３９】
また、これらグループ化された２次元コード情報１３０１ａ，１３０１ｂ，１３０２ａを処方せんの各ページ１３０１，１３０２の画像とともに表示させることで、表示された２次元コード情報がどの処方せんに対応するものであるのかを薬剤師に容易に認識させることができる。
【０１４０】
図１２Ａは、送信情報画面１５の処方せん表示領域１５３に表示される処方せん１３の画像の一例を示す図である。図１２Ａは、一の診療において発行された処方せんの各ページ１３１、１３２の画像を示す。
【０１４１】
１ページ目１３１には、２つの２次元コード情報１３１ａ，１３１ｂが付されており、２ページ目１３２には、１つの２次元コード情報１３２ａが付されている。これらのページ１３１，１３２に付された２次元コード情報は、１つのグループを形成している。
【０１４２】
図１２Ｂは、図１２Ａに示す処方せんの各ページ１３１，１３２の画像および各ページ１３１，１３２に付された２次元コード情報１３１ａ，１３１ｂ，１３２ａをサーバ装置から受信した際の送信情報画面１５におけるページ選択ボタン表示領域１５１と２次元コード情報表示領域１５２の表示態様を示す。
【０１４３】
ページ選択ボタン表示領域１５１には、処方せんの各ページ１３１，１３２に対応するページ選択ボタン１５１１ａ，１５１１ｂが表示される。
【０１４４】
ここで、ページ選択ボタン１５１１ａが選択されると、図１０に示した処方せん表示領域１５３には、処方せん１３の１ページ目１３１の画像が表示される。また、ページ選択ボタン１５１１ｂが選択されると、処方せん表示領域１５３には、処方せんの２ページ目１３２の画像が表示される。
【０１４５】
また、２次元コード情報表示領域１５２には、選択されたページ選択ボタン１５１１ａ，１５１１ｂに対応するページ１３１，１３２が属する処方せんのすべてのページに付された２次元コード情報が表示される。
【０１４６】
図１２Ａに示す例では、２次元コード情報１３１ａ，１３１ｂと２次元コード情報１３２ａは、同一のグループに属する。したがって、図１２Ｂに示すように、何れのページ選択ボタン１５１１ａ，１５１１ｂが選択されたときも２次元コード情報表示領域１５２には３つの２次元コード情報１３１ａ，１３１ｂ，１３２ａが表示される。
【０１４７】
このとき、グループ番号表示領域１５２ａには、グループ番号を示す「１」が表示される。ここで、グループ番号とは、グループを形成する２次元コード情報１３ａに対応する処方せんの番号である。
【０１４８】
図１３Ａは、送信情報画面１５の処方せん表示領域に表示される処方せん画像の他の例を示す図である。図１３Ａは、一の診療において発行された処方せんのページ１３３，１３４と別の診療において発行された処方せんのページ１３５の画像を示す。
【０１４９】
各ページ１３３，１３４，１３５には、それぞれ１つの２次元コード情報１３３ａ，１３４ａ，１３５ａが付されている。そして、ページ１３３，１３４に付された２次元コード情報１３３ａ，１３４ａは第１のグループを形成し、処方せん１３５に付された２次元コード情報１３５ａは第２のグループを形成する。
【０１５０】
図１３Ｂは、図１３Ａに示す処方せん１３３，１３４，１３５の画像および処方せん１３３，１３４，１３５に付された２次元コード情報１３３ａ，１３４ａ，１３５ａをサーバ装置１１から受信した際の送信情報画面１５におけるページ選択ボタン表示領域１５１と２次元コード情報表示領域１５２の表示態様を示す。
【０１５１】
ページ選択ボタン表示領域１５１には、処方せんの各ページ１３３，１３４，１３５に対応するページ選択ボタン１５１２ａ，１５１２ｂ，１５１２ｃが表示される。
【０１５２】
ここで、ページ選択ボタン１５１２ａが選択されると、図１０に示した処方せん表示領域１５３には、処方せんの１ページ目１３３の画像が表示される。ページ選択ボタン１５１２ｂが選択されると、処方せん表示領域１５３には、処方せんの２ページ目１３４の画像が表示される。さらに、ページ選択ボタン１５１２ｃが選択されると、処方せん表示領域１５３には、処方せんの３ページ目１３５の画像が表示される。
【０１５３】
図１３Ｂに示すように、ページ選択ボタン１５１２ａ，１５１２ｂが選択されたときは、２次元コード情報表示領域１５２には第１のグループに属する２つの２次元コード情報１３３ａ，１３４ａが表示される。このとき、グループ番号表示領域１５２ａには、グループ番号を示す「１」が表示される。
【０１５４】
また、ページ選択ボタン１５１２ｃが選択されたときは、２次元コード情報表示領域１５２には第２のグループに属する２次元コード情報１３５ａが表示される。このとき、グループ番号表示領域１５２ａには、グループ番号を示す「２」が表示される。
【０１５５】
図１４Ａは、送信情報画面１５の処方せん表示領域１５３に表示される処方せん１３の画像のさらに他の例を示す図である。図１４Ａは、一の診療において発行された処方せんのページ１３６と別の診療において発行された処方せんのページ１３７，１３８の画像を示す。
【０１５６】
処方せんの１ページ目１３６には、２つの２次元コード情報１３６ａ，１３６ｂが付されており、処方せんの２ページ目１３７には、１つの２次元コード情報１３７ａが付されている。
【０１５７】
そして、処方せん１３６に付された２次元コード情報１３６ａ，１３６ｂは第１のグループに属し、処方せん１３７に付された２次元コード情報１３７ａは第２のグループに属している。
【０１５８】
図１４Ｂは、図１４Ａに示す処方せん１３６，１３７，１３８の画像および処方せん１３６，１３７に付された２次元コード情報１３６ａ，１３６ｂ，１３７ａをサーバ装置１１から受信した際の送信情報画面１５におけるページ選択ボタン表示領域１５１と２次元コード情報表示領域１５２の表示態様を示す。
【０１５９】
ページ選択ボタン表示領域１５１には、処方せんの各ページ１３６，１３７，１３８のそれぞれに対応するページ選択ボタン１５１３ａ，１５１３ｂ，１５１３ｃが表示される。
【０１６０】
ページ選択ボタン１５１３ａが選択されると、図１０に示した処方せん表示領域１５３には、処方せんの１ページ目１３６の画像が表示される。ページ選択ボタン１５１３ｂが選択されると、処方せん表示領域１５３には、処方せんの２ページ目１３７の画像が表示される。ページ選択ボタン１５１２ｃが選択されると、処方せん表示領域１５３には、処方せんの３ページ目１３８の画像が表示される。
【０１６１】
図１４Ｂに示すように、ページ選択ボタン１５１３ａが選択されたときは、２次元コード情報表示領域１５２には２つの２次元コード情報１３５ａ，１３６ｂが表示される。このとき、グループ番号表示領域１５２ａには、グループ番号を示す「１」が表示される。
【０１６２】
また、ページ選択ボタン１５１３ｂが選択されたときは、２次元コード情報表示領域１５２には１つの２次元コード情報１３７ａが表示される。このとき、グループ番号表示領域１５２ａには、第２のグループを示す「２」が表示される。
【０１６３】
また、処方せん１３８には２次元コードが付されていないため、ページ選択ボタン１５１３ｃが選択されたときは、２次元コード情報表示領域１５２には２次元コード情報は表示されない。
【０１６４】
次に、図１５を参照して、端末装置１２に表示される依頼リスト画面１４について説明する。依頼リスト画面１４は、サーバ装置１１から受診した処方せん情報の一覧を示す画面である。依頼リスト画面１４には、状態欄１４１、患者氏名欄、送信情報欄１４２、受付欄１４４、呼出欄１４５などが含まれる。
【０１６５】
状態欄１４１は、処方せん１３の受付が完了したか否か、調剤が行われている最中であるか否か、または、患者の呼び出しが行われている最中か否かの状態を示す。
【０１６６】
処方せん１３の受付が未だ完了していない場合、状態欄１４１には「受付中」の文字が表示される。受付が完了し受付欄１４４の「受付」表示が入力部１２１の操作により選択されると、状態欄１４１の表示は、「調剤中」に変更される。また、調剤が完了し、呼出欄１４５の「呼出」表示が入力部１２１の操作により選択されると、状態欄１４１の表示は、例えば、「呼出中」に変更される。
【０１６７】
送信情報欄１４２に表示された送信情報ボタン１４３が入力部１２１の操作により選択されると、処方せん１３の撮像画像を含む情報が上述した送信情報画面１５に表示される。
【０１６８】
送信情報ボタン１４３は、その表示態様によってサーバ装置１１から受信した情報の内容を示している。送信情報ボタン１４３は、サーバ装置１１から送られてきた情報に処方せん１３の画像情報と２次元コード情報１３ａが含まれる場合、送信情報ボタン１４３に２次元コード情報１３ａを模した絵柄と「表示」の文字が表示される。
【０１６９】
また、サーバ装置１１から送られてきた情報に２次元コード情報１３ａは含まれず、処方せん１３の画像情報が含まれる場合、送信情報ボタン１４３にゼムクリップを模した絵柄と「表示」の文字が表示される。
【０１７０】
したがって、送信情報ボタン１４３の表示態様により、サーバ装置１１から送られてきた情報に２次元コード情報１３ａが含まれるか否かを薬局の薬剤師に認識させることができる。
【０１７１】
以上説明したように、本発明に係る実施の形態では、高解像度モードで処方せん１３の撮像が完了した場合には、２次元コード情報１３ａの読み込みが行われ、高解像度モードで処方せん１３の撮像が完了できなかった場合は、自動で低解像度モードでの撮像に切り替わる。したがって、高解像度モードで撮像することによる専用アプリケーション１０４ｂのフリーズが繰り返し発生することを防止することができる。
【０１７２】
なお、上記実施の形態では、処方せん１３に付されたコード情報を２次元コード情報１３ａとして説明したが、２次元コード情報に限られず、コード情報は、文字情報をコード化した他のコード情報でもよい。
【０１７３】
以上、本発明に係る実施形態について図面を参照して詳述してきたが、上述した各装置は、コンピュータプログラムにより実現され得る。
【０１７４】
具体的には、上述した各装置の機能をプログラムにより実現するコンピュータの読取装置が、上記機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記機能を実現するためのプログラムを記憶装置に記憶させる。
【０１７５】
そして、ＣＰＵが、記憶装置に記憶されたプログラムをＲＡＭにコピーし、そのプログラムに含まれる命令をＲＡＭから順次読み出して実行することにより、上記機能が実現される。
【産業上の利用可能性】
【０１７６】
本発明は、医療機関にて処方された処方せんの情報を含むコード情報の撮像を行う装置に広く利用可能である。
【符号の説明】
【０１７７】
１  処方せん表示システム
１０  携帯端末
１０１  入力部
１０２  通信部
１０３  表示部
１０４  記憶部
１０４ａ  患者識別情報
１０４ｂ  専用アプリケーション
１０４ｃ  薬局リスト
１０５  撮像部
１０６  制御部
１１  サーバ装置
１１１  通信部
１１２  記憶部
１１２ａ  薬局設定情報
１１３  制御部
１２  端末装置
１２１  入力部
１２２  通信部
１２３  表示部
１２４  記憶部
１２４ａ  処方せん情報
１２５  制御部
１３，１３１〜１３８，１３０１〜１３０５  処方せんのページ
１３ａ，１３０１ａ，１３０１ｂ，１３０２ａ，１３０４ａ，１３０４ｂ，１３０５ａ，１３１ａ，１３１ｂ，１３２ａ，１３３ａ，１３４ａ，１３５ａ，１３６ａ，１３６ｂ，１３７ａ  ２次元コード情報
１４  依頼リスト画面
１４１  状態欄
１４２  送信情報欄
１４３  送信情報ボタン
１４４  受付欄
１４５  呼出欄
１５  送信情報画面
１５１  ページ選択ボタン表示領域
１５１ａ，１５１ｂ，１５１ｃ  ページ選択ボタン
１５２  ２次元コード情報表示領域
１５２ａ  グループ番号表示領域
１５３  処方せん表示領域
【図１】
2019020759.tif 000003
【図２】
2019020759.tif 000004
【図３】
2019020759.tif 000005
【図４】
2019020759.tif 000006
【図５】
2019020759.tif 000007
【図６】
2019020759.tif 000008
【図７】
2019020759.tif 000009
【図８】
2019020759.tif 000010
【図９】
2019020759.tif 000011
【図１０】
2019020759.tif 000012
【図１１】
2019020759.tif 000013
【図１２Ａ】
2019020759.tif 000014
【図１２Ｂ】
2019020759.tif 000015
【図１３Ａ】
2019020759.tif 000016
【図１３Ｂ】
2019020759.tif 000017
【図１４Ａ】
2019020759.tif 000018
【図１４Ｂ】
2019020759.tif 000019
【図１５】
2019020759.tif 000020